(57)【要約】【課題】円筒状の被帯電体の外周面を均一かつ高速に帯電できると共に、グリッド電極板の両端部を抱え込む構成の清掃部材を用いてグリッド電極板を清掃することができるようにした帯電装置を提供する。【解決手段】グリッド電極板１０４によって感光体６２を帯電するとき、グリッド電極板１０４の両端部１０４Ｇを感光体６２の外周面に接近させる一方、グリッド電極板１０４を清掃部材によって清掃するとき、グリッド電極板１０４の両端部１０４Ｇを感光体６２の外周面から遠ざけるカム機構１０８を設ける。【選択図】図３
2012185299.tif 000002
【特許請求の範囲】
【請求項１】
長尺な板状を呈し、円筒状の被帯電体の外方において長手方向を前記被帯電体の円筒軸方向に平行となるように配置され、短手方向における中央部と前記被帯電体との相対距離が一定に固定され、前記被帯電体を帯電するためのグリッド電極板と、
前記グリッド電極板の長手方向に沿う両端部を両端側から抱え込み、前記グリッド電極板の長手方向に沿って移動可能とされ、前記グリッド電極板の前記被帯電体に対向する面とは反対側の面を清掃する清掃部材と、
前記両端部の位置を、前記両端部を前記被帯電体の外周面から遠ざける位置と前記両端部を前記被帯電体の外周面に接近させる位置とに切り換える切換機構と、
を有し、
前記切換機構は、前記グリッド電極板を前記清掃部材によって清掃するとき、前記両端部の位置を前記被帯電体の外周面から遠ざける位置に切り換える一方、前記グリッド電極板によって前記被帯電体を帯電するとき、前記両端部の位置を前記被帯電体の外周面に接近させる位置に切り換える帯電装置。
【請求項２】
前記切換機構は、前記両端部に接触されないときに前記両端部の位置を前記被帯電体の外周面から遠ざける位置に切り換える一方、前記両端部に接触するときに前記両端部の位置を前記被帯電体の外周面に接近させる位置に切り換えるカム機構を有する請求項１記載の帯電装置。
【請求項３】
前記切換機構は、通電されるときに前記両端部から離れ、前記両端部の位置を前記被帯電体の外周面から遠ざける位置に切り換える一方、非通電とされるときに前記両端部に接触し、前記両端部の位置を前記被帯電体の外周面に接近させる位置に切り換える電磁ソレノイドを有する請求項１記載の帯電装置。
【請求項４】
前記切換機構は、剛性を有し、前記グリッド電極板の長手方向に沿って前記両端部に取り付けられる補助部材を備え、前記補助部材を通じて前記両端部の位置を前記被帯電体の外周面に接近させる位置に切り換える請求項２または請求項３記載の帯電装置。
【請求項５】
前記切換機構は、
前記清掃部材に変位自在に取り付けられ、前記両端部に接触されないときに前記両端部の位置を前記被帯電体の外周面から遠ざける位置に切り換える一方、前記両端部に接触するときに前記両端部の位置を前記被帯電体の外周面に接近させる位置に切り換える押圧部材と、
前記清掃部材の前記グリッド電極板の長手方向への移動に伴い、前記押圧部材の前記清掃部材に対する変位を案内する案内部材と、
を有し、
前記案内部材は、前記グリッド電極板を前記清掃部材によって清掃するとき、前記押圧部材を前記両端部に接触させない方向に変位させる一方、前記グリッド電極板によって前記被帯電体を帯電するとき、前記押圧部材を前記両端部に接触させる方向に変位させる請求項１記載の帯電装置。
【請求項６】
前記グリッド電極板は、長手方向における両端部であって短手方向における中央部を把持され、長手方向に引っ張られつつ固定されている請求項１〜５のいずれか１項記載の帯電装置。
【請求項７】
前記グリッド電極板は、前記長手方向に沿って形成され、前記短手方向に並ぶ複数のスリットを有する請求項１〜６のいずれか１項記載の帯電装置。
【請求項８】
前記グリッド電極板は、前記短手方向において前記スリットを横断するように形成されるリブを有する請求項７記載の帯電装置。
【請求項９】
請求項１〜８記載の帯電装置によって帯電される前記被帯電体と、
前記被帯電体に静電潜像を形成する露光装置と、
前記被帯電体に形成された静電潜像をトナーで現像する現像装置と、
前記被帯電体に形成されたトナー像を被転写材に転写する転写装置と、
を有する画像形成装置。
【発明の詳細な説明】
【技術分野】
【０００１】
本発明は、帯電装置および画像形成装置に関する。
【背景技術】
【０００２】
特許文献１には、複雑な離間機構を設けることなくグリッド電極から清掃部材を離間させることができ、従来よりも長期間使用した経時においてもグリッド電極による帯電の均一性を確保することができるスコロトロン帯電装置が開示されている。
【先行技術文献】
【特許文献】
【０００３】
【特許文献１】特開２０１０−８５９４４号公報
【発明の概要】
【発明が解決しようとする課題】
【０００４】
本発明は、円筒状の被帯電体の外周面を均一かつ高速に帯電できると共に、グリッド電極板の両端部を抱え込む構成の清掃部材を用いてグリッド電極板を清掃することができるようにした帯電装置を提供することを目的とする。
【課題を解決するための手段】
【０００５】
本発明の請求項１の帯電装置は、長尺な板状を呈し、円筒状の被帯電体の外方において長手方向を前記被帯電体の円筒軸方向に平行となるように配置され、短手方向における中央部と前記被帯電体との相対距離が一定に固定され、前記被帯電体を帯電するためのグリッド電極板と、  前記グリッド電極板の長手方向に沿う両端部を両端側から抱え込み、前記グリッド電極板の長手方向に沿って移動可能とされ、前記グリッド電極板の前記被帯電体に対向する面とは反対側の面を清掃する清掃部材と、前記両端部の位置を、前記両端部を前記被帯電体の外周面から遠ざける位置と前記両端部を前記被帯電体の外周面に接近させる位置とに切り換える切換機構と、を有し、前記切換機構は、前記グリッド電極板を前記清掃部材によって清掃するとき、前記両端部の位置を前記被帯電体の外周面から遠ざける位置に切り換える一方、前記グリッド電極板によって前記被帯電体を帯電するとき、前記両端部の位置を前記被帯電体の外周面に接近させる位置に切り換えることを特徴とする。
【０００６】
本発明の請求項２の帯電装置は、請求項１に記載の帯電装置において、前記切換機構は、前記両端部に接触されないときに前記両端部の位置を前記被帯電体の外周面から遠ざける位置に切り換える一方、前記両端部に接触するときに前記両端部の位置を前記被帯電体の外周面に接近させる位置に切り換えるカム機構を有することを特徴とする。
【０００７】
本発明の請求項３の帯電装置は、請求項１に記載の帯電装置において、前記切換機構は、通電されるときに前記両端部から離れ、前記両端部の位置を前記被帯電体の外周面から遠ざける位置に切り換える一方、非通電とされるときに前記両端部に接触し、前記両端部の位置を前記被帯電体の外周面に接近させる位置に切り換える電磁ソレノイドを有することを特徴とする。
【０００８】
本発明の請求項４の帯電装置は、請求項２または請求項３に記載の帯電装置において、前記切換機構は、剛性を有し、前記グリッド電極板の長手方向に沿って前記両端部に取り付けられる補助部材を備え、前記補助部材を通じて前記両端部の位置を前記被帯電体の外周面に接近させる位置に切り換えることを特徴とする。
【０００９】
本発明の請求項５の帯電装置は、請求項１に記載の帯電装置において、前記切換機構は、前記清掃部材に変位自在に取り付けられ、前記両端部に接触されないときに前記両端部の位置を前記被帯電体の外周面から遠ざける位置に切り換える一方、前記両端部に接触するときに前記両端部の位置を前記被帯電体の外周面に接近させる位置に切り換える押圧部材と、前記清掃部材の前記グリッド電極板の長手方向への移動に伴い、前記押圧部材の前記清掃部材に対する変位を案内する案内部材と、を有し、前記案内部材は、前記グリッド電極板を前記清掃部材によって清掃するとき、前記押圧部材を前記両端部に接触させない方向に変位させる一方、前記グリッド電極板によって前記被帯電体を帯電するとき、前記押圧部材を前記両端部に接触させる方向に変位させることを特徴とする。
【００１０】
本発明の請求項６の帯電装置は、請求項１〜５のいずれか１項に記載の帯電装置において、前記グリッド電極板は、長手方向における両端部であって短手方向における中央部を把持され、長手方向に引っ張られつつ固定されていることを特徴とする。
【００１１】
本発明の請求項７の帯電装置は、請求項１〜６のいずれか１項に記載の帯電装置において、前記グリッド電極板は、前記長手方向に沿って形成され、前記短手方向に並ぶ複数のスリットを有することを特徴とする。
【００１２】
本発明の請求項８の帯電装置は、請求項７のいずれか１項に記載の帯電装置において、前記グリッド電極板は、前記短手方向において前記スリットを横断するように形成されるリブを有することを特徴とする。
【００１３】
本発明の請求項９の画像形成装置は、請求項１〜８記載の帯電装置によって帯電される前記被帯電体と、前記被帯電体に静電潜像を形成する露光装置と、前記被帯電体に形成された静電潜像をトナーで現像する現像装置と、前記被帯電体に形成されたトナー像を被転写材に転写する転写装置と、を有することを特徴とする。
【発明の効果】
【００１４】
本発明の請求項１に記載の帯電装置によれば、グリッド電極板の両端部を被帯電体に近づけない状態で被帯電体を帯電させる場合に比べて円筒状の被帯電体の外周面を均一かつ高速に帯電できると共に、グリッド電極板の両端部を抱え込む構成の清掃部材を用いてグリッド電極板を清掃することができる。
【００１５】
本発明の請求項２に記載の帯電装置によれば、グリッド電極板を被帯電体に対して全体的に離間させる離間機構に比べて、簡易な機構によってグリッド電極板の両端部の位置を切り換えることができる。
【００１６】
本発明の請求項３に記載の帯電装置によれば、グリッド電極板を被帯電体に対して全体的に離間させる離間機構に比べて、簡易な機構によってグリッド電極板の両端部の位置を切り換えることができる。
【００１７】
本発明の請求項４に記載の帯電装置によれば、補助部材を両端部に設けない場合に比べて、両端部の位置を被帯電体の外周面に接近させる位置に確実に切り換えることができる。
【００１８】
本発明の請求項５に記載の帯電装置によれば、グリッド電極板を被帯電体に対して全体的に離間させる離間機構に比べて、簡易な機構によってグリッド電極板の両端部の位置を切り換えることができる。
【００１９】
本発明の請求項６に記載の帯電装置によれば、グリッド電極板の長手方向において撓みが生じるのを抑制することができると共に、グリッド電極板を短手方向において被帯電体の外周面に沿って湾曲させることができる。
【００２０】
本発明の請求項７に記載の帯電装置によれば、グリッド電極板に長手方向に沿うスリットを形成しない場合に比べて、グリッド電極板の両端部を被帯電体に対して容易に接近させたり、遠ざけたりすることができる。
【００２１】
本発明の請求項８に記載の帯電装置によれば、グリッド電極板に短手方向においてスリットを横断するようなリブを設けない場合に比べて、グリッド電極板の剛性を向上させることができる。
【００２２】
本発明の請求項９に記載の画像形成装置によれば、請求項１〜８に記載の帯電装置を備えない画像形成装置に比べて、画質の良い画像形成装置を提供できる。
【図面の簡単な説明】
【００２３】
【図１】本発明の実施形態に係る画像形成装置の全体図である。
【図２】図１に示す画像形成ユニットの構成図である。
【図３】図２に示す帯電ユニットであって、切換機構としてのカム機構を備える帯電ユニットの構成図である。
【図４】図３に示すグリッド電極板の平面図である。
【図５】第１実施形態に係る清掃機構の清掃時の状態を示す斜視図である。
【図６】第１実施形態に係る清掃機構の断面図である。
【図７】第１実施形態に係る清掃機構の帯電時（非清掃時）の状態を示す斜視図である。
【図８】切換機構としての電磁ソレノイドを備える図３と同様な帯電ユニットの構成図である。
【図９】切換機構としてのカム機構に金属棒を追加した形態を示す図７と同様な斜視図である。
【図１０】第２実施形態に係る清掃機構の清掃時の状態を示す斜視図である。
【図１１】第２実施形態に係る清掃機構の帯電時（非清掃時）の状態を示す斜視図である。
【図１２】第２実施形態に係る清掃機構の清掃時の状態を示す側面図である。
【図１３】第２実施形態に係る清掃機構の帯電時（非清掃時）の状態を示す側面図である。
【図１４】第２実施形態に係る清掃機構の清掃時の状態を示す断面図である。
【図１５】第２実施形態に係る清掃機構の帯電時（非清掃時）の状態を示す断面図である。
【図１６】第２実施形態に係る清掃機構に係るシールド部材の構成を示す平面図である。
【図１７】比較例としてグリッド電極板の両端部を抱え込まない構成の清掃部材を示す構成図である。
【発明を実施するための形態】
【００２４】
以下、本発明に係る帯電装置と画像形成装置の実施形態について、添付の図面に基づいて説明する。
【００２５】
（全体構成）
図１には、実施形態の一例としての画像形成装置１０が示されている。画像形成装置１０は、上下方向（矢印Ｖ方向）の下側から上側へ向けて、記録用紙Ｐが収容される用紙収容部１２と、用紙収容部１２の上に設けられ用紙収容部１２から供給される記録用紙Ｐに画像形成を行う画像形成部１４と、画像形成部１４の上に設けられ読取原稿Ｇを読み取る原稿読取部１６と、画像形成部１４内に設けられ画像形成装置１０の各部の動作を制御する制御部２０と、を含んで構成されている。なお、以後の説明では、画像形成装置１０の装置本体１０Ａの上下方向を矢印Ｖ方向、左右（水平）方向を矢印Ｈ方向、奥行き（水平）方向を矢印Ｄ方向と記載する。矢印Ｄ方向に関する画像形成装置１０の面、側について、「正面」、「背面」、「手前側」、「奥側」と呼ぶことがある。
【００２６】
用紙収容部１２は、記録媒体の一例としてのサイズの異なる記録用紙Ｐが収容される第１収容部２２、第２収容部２４、及び第３収容部２６が設けられている。第１収容部２２、第２収容部２４、及び第３収容部２６には、収容された記録用紙Ｐを画像形成装置１０内に設けられた搬送路２８に送り出す送り出しロール３２が設けられており、搬送路２８における送り出しロール３２よりも下流側には、記録用紙Ｐを一枚ずつ搬送するそれぞれ一対の搬送ロール３４及び搬送ロール３６が設けられている。また、搬送路２８における記録用紙Ｐの搬送方向で搬送ロール３６よりも下流側には、記録用紙Ｐを一端停止させるとともに、決められたタイミングで後述する二次転写位置へ送り出す位置合せロール３８が設けられている。
【００２７】
搬送路２８の上流側部分は、画像形成装置１０の正面視において、矢印Ｖ方向に向けて用紙収容部１２の左側から画像形成部１４の左側下部まで直線状に設けられている。また、搬送路２８の下流側部分は、画像形成部１４の左側下部から画像形成部１４の右側面に設けられた排紙部１５まで設けられている。さらに、搬送路２８には、記録用紙Ｐの両面に画像形成を行うために記録用紙Ｐが搬送及び反転される両面搬送路２９が接続されている。
【００２８】
両面搬送路２９は、画像形成装置１０の正面視において、搬送路２８と両面搬送路２９の切り替えが行われる第１切替部材３１と、画像形成部１４の右側下部から用紙収容部１２の右側まで矢印−Ｖ方向（図示の下方向）に直線状に設けられた反転部３３と、反転部３３に搬送された記録用紙Ｐの後端が進入するとともに矢印Ｈ方向（図示の左方向）に搬送される搬送部３７と、反転部３３と搬送部３７の切り替えが行われる第２切替部材３５と、を有している。そして、反転部３３には一対の搬送ロール４２が間隔をあけて複数箇所に設けられており、搬送部３７には一対の搬送ロール４４が間隔をあけて複数箇所に設けられている。
【００２９】
第１切替部材３１は三角柱状の部材であり、図示しない駆動手段によって先端部が搬送路２８又は両面搬送路２９のいずれか一方に移動されることで、記録用紙Ｐの搬送方向を切り替えるようになっている。同様に、第２切替部材３５は正面視で三角柱状の部材であり、図示しない駆動手段によって先端部が反転部３３又は搬送部３７のいずれか一方に移動されることで、記録用紙Ｐの搬送方向を切り替えるようになっている。なお、搬送部３７の下流側端部は、搬送路２８の上流側部分にある搬送ロール３６の手前側に案内部材（図示省略）により接続されている。また、画像形成部１４の左側面には、折り畳み式の手差給紙部４６が設けられており、手差給紙部４６から搬送路２８の位置合せロール３８の手前までが接続されている。
【００３０】
原稿読取部１６は、読取原稿Ｇを１枚ずつ自動で搬送する原稿搬送装置５２と、原稿搬送装置５２の下側に配置され１枚の読取原稿Ｇが載せられるプラテンガラス５４と、原稿搬送装置５２によって搬送された読取原稿Ｇ又はプラテンガラス５４に載せられた読取原稿Ｇを読み取る原稿読取装置５６とが設けられている。
【００３１】
原稿搬送装置５２は、一対の搬送ロール５３が複数配置された自動搬送路５５を有しており、自動搬送路５５の一部は、読取原稿Ｇがプラテンガラス５４上を通るように配置されている。また、原稿読取装置５６は、プラテンガラス５４の左端部に静止した状態で原稿搬送装置５２によって搬送された読取原稿Ｇを読み取り、又は矢印Ｈ方向に移動しながらプラテンガラス５４に載せられた読取原稿Ｇを読み取るようになっている。
【００３２】
一方、画像形成部１４は、装置本体１０Ａの中央に円筒状の被帯電体の一例としての感光体６２が設けられている。感光体６２は、図示しない駆動手段によって矢印＋Ｒ方向（図示の時計回り方向）に回転すると共に、光照射によって形成される静電潜像を保持するようになっている。また、感光体６２の上方で且つ感光体６２の外周面と対向する位置には、感光体６２の表面を帯電するスコロトロン方式の帯電装置の一例としての帯電ユニット１００が設けられている。なお、帯電ユニット１００の詳細については後述する。
【００３３】
図２に示すように、感光体６２の回転方向における帯電ユニット１００よりも下流側で且つ感光体６２の外周面と対向する位置には、露光装置６６が設けられている。露光装置６６は、ＬＥＤ（Ｌｉｇｈｔ  Ｅｍｉｔｔｉｎｇ  Ｄｉｏｄｅ）で構成されており、帯電ユニット１００により帯電した感光体６２の外周面に、各トナー色に対応した画像信号に基づき光を照射（露光）して、静電潜像を形成するようになっている。なお、露光装置６６はＬＥＤ方式に限らず、例えば、レーザ光をポリゴンミラーで走査するものであってもよい。
【００３４】
感光体６２の回転方向で露光装置６６の露光光が照射される部位よりも下流側には、感光体６２の外周面に形成された静電潜像を決められた色のトナーで現像して可視化させる回転切り替え式の現像装置７０が設けられている。
【００３５】
感光体６２の回転方向で現像装置７０よりも下流側であり且つ感光体６２の下側には、感光体６２の外周面に形成されたトナー画像が転写される中間転写ベルト６８が設けられている。中間転写ベルト６８は、無端状であり、制御部２０により回転駆動される駆動ロール６１、中間転写ベルト６８に張力を付与するための張力付与ロール６３、中間転写ベルト６８の裏面に接触して従動回転する複数の搬送ロール６５、及び後述する二次転写位置において中間転写ベルト６８の裏面に接触して従動回転する補助ロール６９に巻き掛けられている。そして、中間転写ベルト６８は、駆動ロール６１が回転することにより、矢印−Ｒ方向（図示の反時計回り方向）に周回移動するようになっている。
【００３６】
また、中間転写ベルト６８を挟んで感光体６２の反対側には、感光体６２の外周面に形成されたトナー画像を中間転写ベルト６８に一次転写させる転写装置の一例としての一次転写ロール６７が設けられている。一次転写ロール６７は、感光体６２と中間転写ベルト６８とが接触する位置から中間転写ベルト６８の移動方向下流側に離れた位置で、中間転写ベルト６８の裏面に接触している。そして、一次転写ロール６７は、図示しない電源から通電されることにより、接地されている感光体６２との電位差で感光体６２のトナー画像を中間転写ベルト６８に一次転写するようになっている。
【００３７】
さらに、中間転写ベルト６８を挟んで補助ロール６９の反対側には、中間転写ベルト６８上に一次転写されたトナー画像を記録用紙Ｐに二次転写させる二次転写ロール７１が設けられており、二次転写ロール７１と補助ロール６９との間が記録用紙Ｐへトナー画像を転写する二次転写位置（図２の位置Ｑ）とされている。二次転写ロール７１は、中間転写ベルト６８の表面に接触している。そして、二次転写ロール７１は、図示しない電源から通電されることにより、接地されている補助ロール６９との電位差で中間転写ベルト６８のトナー画像を記録用紙Ｐに二次転写するようになっている。
【００３８】
また、中間転写ベルト６８を挟んで駆動ロール６１の反対側には、中間転写ベルト６８の二次転写後の残留トナーを回収するクリーニング装置８５が設けられている。さらに、中間転写ベルト６８の周囲で張力付与ロール６３と対向する位置には、中間転写ベルト６８の表面に付されたマーク（図示省略）を検知することで中間転写ベルト６８上の予め定めた基準位置を検出し、画像形成処理の開始タイミングの基準となる位置検出信号を出力する位置検出センサ８３が設けられている。
【００３９】
感光体６２の回転方向で一次転写ロール６７よりも下流側には、中間転写ベルト６８に一次転写されずに感光体６２の表面に残留した残留トナー等を清掃するクリーニング装置７３が設けられている。クリーニング装置７３は、感光体６２表面に接触するクリーニングブレード８７及びブラシロール８９（図２参照）により残留トナー等を回収する構成となっている。
【００４０】
また、感光体６２の回転方向でクリーニング装置７３の上流側（一次転写ロール６７よりも下流側）には、感光体６２の外周面に光を照射して除電を行う除電装置８６（図２参照）が設けられている。除電装置８６は、クリーニング装置７３による残留トナー等の回収前に感光体６２の外周面に光を照射して除電することで静電気による付着力を低減し、残留トナー等の回収率を高めるためのものである。さらに、クリーニング装置７３の下流側で且つ帯電ユニット１００の上流側には、残留トナー等の回収後の除電手段である除電ランプ７５が設けられている。
【００４１】
二次転写ロール７１によるトナー画像の二次転写位置は、前述の搬送路２８の途中に設定されており、搬送路２８における記録用紙Ｐの搬送方向（矢印Ａで図示）で二次転写ロール７１よりも下流側には、二次転写ロール７１によってトナー画像が転写された記録用紙Ｐにトナー画像を定着させる定着装置８０が設けられている。
【００４２】
定着装置８０は、記録用紙Ｐのトナー画像面側（上側）に配置され、通電により発熱する熱源を有する加熱ロール８２と、加熱ロール８２の下側に配置され記録用紙Ｐを加熱ロール８２の外周面に向けて加圧する加圧ロール８４とを含んで構成されている。なお、搬送路２８における記録用紙Ｐの搬送方向で定着装置８０よりも下流側には、排紙部１５又は反転部３３へ向けて記録用紙Ｐを搬送する搬送ロール３９が設けられている。
【００４３】
一方、原稿読取装置５６の下側で現像装置７０よりも上側には、イエロー（Ｙ）、マゼンタ（Ｍ）、シアン（Ｃ）、黒（Ｋ）、第１特別色（Ｅ）、第２特別色（Ｆ）の各トナーを収容するトナーカートリッジ７８Ｙ、７８Ｍ、７８Ｃ、７８Ｋ、７８Ｅ、７８Ｆが矢印Ｈ方向に並んで交換可能に設けられている。第１特別色Ｅ及び第２特別色Ｆは、イエロー、マゼンタ、シアン、ブラック以外の特別色（透明を含む）から選択され、または、選択されないようになっている。
【００４４】
現像装置７０では、第１特別色Ｅ及び第２特別色Ｆが選択された場合は、Ｙ、Ｍ、Ｃ、Ｋ、Ｅ、Ｆの６色での画像形成を行い、第１特別色Ｅ及び第２特別色Ｆが選択されない場合は、Ｙ、Ｍ、Ｃ、Ｋの４色での画像形成を行うようになっている。なお、本実施形態では、一例として、Ｙ、Ｍ、Ｃ、Ｋの４色で画像形成を行い、第１特別色Ｅ及び第２特別色Ｆを未使用とした場合について説明するが、他の例として、Ｙ、Ｍ、Ｃ、Ｋの４色と第１特別色Ｅ又は第２特別色Ｆを用いて５色で画像形成を行ってもよい。
【００４５】
図２に示すように、現像装置７０は、イエロー（Ｙ）、マゼンタ（Ｍ）、シアン（Ｃ）、黒（Ｋ）、第１特別色（Ｅ）、第２特別色（Ｆ）の各トナー色にそれぞれ対応する現像器７２Ｙ、７２Ｍ、７２Ｃ、７２Ｋ、７２Ｅ、７２Ｆが、周方向に（反時計回り方向にこの順番で）並んで配置されており、回転手段であるモータ（図示省略）によって中心角で６０°ずつ回転することで、現像処理を行う現像器７２Ｙ、７２Ｍ、７２Ｃ、７２Ｋ、７２Ｅ、７２Ｆが切り替えられ、感光体６２の外周面と対向するようになっている。なお、現像器７２Ｙ、７２Ｍ、７２Ｃ、７２Ｋ、７２Ｅ、７２Ｆは同様の構成となっているため、ここでは現像器７２Ｙについて説明し、他の現像器７２Ｍ、７２Ｃ、７２Ｋ、７２Ｅ、７２Ｆについては説明を省略する。
【００４６】
現像器７２Ｙは、本体となるケース部材７６を有しており、ケース部材７６内にトナーカートリッジ７８Ｙ（図１参照）からトナー供給路（図示省略）を経由して供給されるトナー及びキャリアから成る現像剤（図示省略）が充填されている。また、ケース部材７６には、感光体６２の外周面と対向して矩形状の開口部７６Ａが形成されており、開口部７６Ａには、外周面が感光体６２の外周面と対向する現像ロール７４が設けられている。さらに、ケース部材７６内で開口部７６Ａに近い部位には、現像剤の層厚を規制するための板状の規制部材７９が、開口部７６Ａの長手方向に沿って設けられている。
【００４７】
現像ロール７４は、回転可能に設けられた円筒状の現像スリーブ７４Ａと、現像スリーブ７４Ａの内側に固定された複数の磁極から成る磁性部材７４Ｂとで構成されており、現像スリーブ７４Ａが回転することで現像剤（キャリア）の磁気ブラシが形成されると共に、規制部材７９で層厚が規制されることで、現像スリーブ７４Ａの外周面に現像剤層を形成するようになっている。そして、現像スリーブ７４Ａの外周面の現像剤層は、感光体６２に対向する位置に搬送され、感光体６２の外周面に形成された潜像（静電潜像）に応じたトナーを付着させて現像を行う。
【００４８】
また、ケース部材７６内には、螺旋状に形成された搬送ローラ７７が２本回転可能に並列配置されており、この２本の搬送ローラ７７が回転することで、ケース部材７６内に充填された現像剤が、現像ロール７４の軸方向（現像器７２Ｙの長手方向）に循環搬送されるようになっている。なお、各現像器７２Ｙ、７２Ｍ、７２Ｃ、７２Ｋ、７２Ｅ、７２Ｆに設けられた６本の現像ロール７４は、隣の現像ロール７４との間隔が中心角６０°となるように周方向に配置されており、現像器７２の切り替えにより、次の現像ロール７４が感光体６２の外周面と対向するようになっている。
【００４９】
次に、画像形成装置１０における画像形成工程について説明する。
【００５０】
図１に示すように、画像形成装置１０が作動すると、画像処理装置（図示省略）又は外部から、イエロー（Ｙ）、マゼンタ（Ｍ）、シアン（Ｃ）、黒（Ｋ）、第１特別色（Ｅ）、第２特別色（Ｆ）の各色の画像データが露光装置６６に順次出力される。このとき、一例として、現像装置７０は、現像器７２Ｙ（図２参照）が感光体６２の外周面と対向するように回転し保持されている。
【００５１】
続いて、帯電ユニット１００において、接地された感光体６２との間に電位差が生じさせることでコロナ放電が行われ、感光体６２が帯電される。
【００５２】
続いて、露光装置６６から画像データに応じて出射された光は、帯電ユニット１００により帯電された感光体６２の外周面（表面）を露光し、感光体６２の表面にはイエローの画像データに対応した静電潜像が形成される。さらに、感光体６２の表面に形成された静電潜像は、現像器７２Ｙによってイエローのトナー画像として現像される。そして、感光体６２の表面のイエローのトナー画像は、一次転写ロール６７によって中間転写ベルト６８に転写される。
【００５３】
続いて、図２に示すように、現像装置７０が矢印＋Ｒ方向に６０°回転され、現像器７２Ｍが感光体６２の表面と対向する。そして、帯電、露光、現像の各工程が行われ、感光体６２の表面のマゼンタのトナー画像は、一次転写ロール６７によって中間転写ベルト６８のイエローのトナー画像上に転写される。同様にして、シアン（Ｃ）、黒（Ｋ）、さらに色設定に応じて第１特別色（Ｅ）、及び第２特別色（Ｆ）のトナー画像が中間転写ベルト６８上に順次多重転写される。
【００５４】
一方、図１に示すように、用紙収容部１２から送り出され、搬送路２８を搬送されてきた記録用紙Ｐは、位置合せロール３８により、中間転写ベルト６８への各トナー画像の多重転写とタイミングを合わせて二次転写位置（図２の位置Ｑ）に搬送される。そして、中間転写ベルト６８上に多重転写されたトナー画像は、二次転写位置に搬送されてきた記録用紙Ｐ上に二次転写ロール７１によって二次転写される。
【００５５】
続いて、トナー画像が転写された記録用紙Ｐは、定着装置８０に向けて矢印Ａ方向（図示の右方向）に搬送される。そして、定着装置８０では、トナー画像が、加熱ロール８２及び加圧ロール８４によって加熱、加圧されることで記録用紙Ｐに定着される。さらに、トナー画像が定着された記録用紙Ｐは、一例として、排紙部１５に排出される。
【００５６】
なお、記録用紙Ｐの両面に画像を形成する場合は、定着装置８０で表面に画像定着を行った後、記録用紙Ｐを矢印−Ｖ方向に沿って反転部３３に送り込むと共に矢印＋Ｖ方向に沿って送り出すことで、記録用紙Ｐの先端と後端を入れ替える。そして、記録用紙Ｐを両面搬送路２９によって矢印Ｂ方向（図示の左方向）に搬送し、さらに搬送路２８に送り込んで、記録用紙Ｐの裏面の画像形成及び定着を行う。
【００５７】
（帯電ユニットの構成）
次に、帯電ユニット１００について説明する。
【００５８】
図３に示すように、帯電ユニット１００は、Ｈ−Ｖ面（断面）がコ字状のシールド部材１０５を有している。シールド部材１０５は、上壁１０５Ｕと、上壁１０５Ｕに接続されて下方に延びる側壁１０５Ｓとを有している。シールド部材１０５の内側は、矢印＋Ｄ方向を長手方向として直立配置された仕切板１０３によって、小室１０６Ａと小室１０６Ｂとに仕切られている。なお、矢印＋Ｒ方向において、小室１０６Ａは上流側に配置されており、小室１０６Ｂは下流側に配置されている。また、シールド部材１０５の開口部１０５Ａは、感光体６２の外周面と対向配置されている。
【００５９】
小室１０６Ａ内には、矢印＋Ｄ方向を長軸方向としてチャージワイヤ１０２Ａが架設されおり、同様に、小室１０６Ｂ内には、矢印＋Ｄ方向を長軸方向としてチャージワイヤ１０２Ｂが架設されている。また、シールド部材１０５の下方には開口部１０５Ａに対応する面積のグリッド電極板１０４が設けられている。
【００６０】
帯電ユニット１００では、チャージワイヤ１０２Ａ、１０２Ｂに通電し、接地された感光体６２との間に電位差を与えることでコロナ放電を生じさせると共に、チャージワイヤ１０２Ａ、１０２Ｂと感光体６２の外周面との間に配置されるグリッド電極板１０４に電圧を印加することにより、グリッド電極板１０４によって感光体６２が一定の電位で一様に帯電されるようになっている。
【００６１】
グリッド電極板１０４は、金属材から構成されており、図４に示すように、矢印Ｄ方向に長手の長尺の板状を呈している。グリッド電極板１０４の長手方向における両側の端部領域１０４Ａは、中央領域１０４Ｂに比べて幅狭に形成されている。グリッド電極板１０４は、長手方向における両端部であって短手方向における中央部１０４Ｃをそれぞれ把持され、長手方向に引っ張られるようにして帯電ユニット１００のケース部材（図示省略）に固定されている。グリッド電極板１０４を長手方向に引っ張りつつ固定することで、グリッド電極板１０４が長手方向においては撓まないようにしている。
【００６２】
グリッド電極板１０４の中央領域１０４Ｂには、長手方向に沿って形成されるスリット１０４Ｄが複数本（図４中では７本）短手方向（矢印Ｈ方向）に並んでおり、隣接するスリット１０４Ｄ同士の間には長リブ１０４Ｅが形成されている。また、スリット１０４Ｄを横断するように隣接する長リブ１０４Ｅ同士を繋ぐ短リブ１０４Ｆが形成されている。このように、グリッド電極板１０４の中央領域１０４Ｂにおいて、アミダ状のリブ構造とされることで、例えば亀の甲状のリブ構造に比べて、感光体６２の均一帯電性が向上すると共に、次に述べるように、グリッド電極板１０４の長手方向に沿う両端部１０４Ｇが押圧されるときにグリッド電極板１０４が短手方向において湾曲し易くなっている。一方、短リブ１０４Ｆが形成されていることにより、グリッド電極板１０４においては、その両端部１０４Ｇに対する押圧が解除されると、湾曲状態から平状態に戻る程度の剛性が確保されるようになっている。また、グリッド電極板１０４の中央部１０４Ｃを長手方向に引っ張るようにして固定した上で両端部１０４Ｇを押圧することで、グリッド電極板１０４が短手方向において感光体６２の外周面に沿って湾曲されるようになっている。
【００６３】
図３に示すように、グリッド電極板１０４は長手方向を感光体６２の円筒軸方向に平行となるように配置されている。また、グリッド電極板１０４の短手方向における中央部１０４Ｃと感光体６２との相対距離は常時一定に固定されている。即ち、帯電ユニット１００は、グリッド電極板１０４を全体的に感光体６２から離間させるためのリトラクト機構を有していない。
【００６４】
その代わりに、シールド部材１０５とグリッド電極板１０４との間には切換機構の一例としてのカム機構１０８が複数個（図３では２個示す）設けられている。カム機構１０８のカム１０８Ａがグリッド電極板１０４の両端部１０４Ｇに接触する位置に回転されると、両端部１０４Ｇは感光体６２の表面に接近する位置まで押圧され、グリッド電極板１０４は感光体６２の外周面に沿うような湾曲状態とされる。一方、カム機構１０８のカム１０８Ａがグリッド電極板１０４の両端部１０４Ｇに接触しない位置に回転されると、グリッド電極板１０４は剛性によって平状態に復帰する。
【００６５】
カム機構１０８によってグリッド電極板１０４を平状態から湾曲状態に切り換えることにより、グリッド電極板１０４を平状態とした状態で感光体６２を帯電する場合に比べて、感光体６２の表面を高速かつ均一に帯電させられる。
【００６６】
一方、グリッド電極板１０４に放電生成物などのゴミが付着することによって帯電性能が低下するのを防止するため、グリッド電極板１０４を清掃する必要がある。その清掃性能を確保するために、グリッド電極板１０４の両端部１０４Ｇを両端側から抱え込む構成の清掃部材１１２（図５、図６参照）が用いられる。グリッド電極板１０４を抱え込む構成の清掃部材１１２でグリッド電極板１０４を清掃するには、清掃部材１１２がグリッド電極板１０４の両端部を抱え込むためのスペースを感光体６２の外周面とグリッド電極板１０４との間に確保する必要があるため、カム機構１０８によってグリッド電極板１０４を平状態とし、即ち、グリッド電極板１０４の両端部１０４Ｇを感光体６２から遠ざけた位置とする必要がある。
【００６７】
従って、次に述べる第１実施形態に係る清掃機構を備える帯電ユニット１００においては、グリッド電極板１０４を湾曲状態と平状態とに切り換えるための切換機構としてのカム機構１０８を設けている。
【００６８】
（第１実施形態に係る清掃機構の構成）
グリッド電極板１０４の両端部１０４Ｇを両端側から抱え込む構成の清掃部材１１２を有する第１実施形態に係る清掃機構１１０について説明する。
【００６９】
図５、図６に示すように、清掃機構１１０は、カム１０８Ａがグリッド電極板１０４から離れた位置に回転されて平状態とされたグリッド電極板１０４においてグリッド電極板１０４の長手方向に沿う両端部１０４Ｇを両端側から抱え込む構成の清掃部材１１２と、グリッド電極板１０４の上方において矢印Ｄ方向に沿って配置されるボールスクリュー１１４と、ボールスクリュー１１４と清掃部材１１２とを接続する接続部材１１６とを有している。
【００７０】
清掃部材１１２は、上壁１１２Ｕと、上壁１１２Ｕの両端において下方に延伸する側壁１１２Ｓと、側壁１１２Ｓの下方端に接続されて内側に折り返される下壁１１２Ｌと、上壁１１２Ｕの内面に取り付けられるブラシ部材１１２Ａとを有している。清掃部材１１２は下壁１１２Ｌの上面とブラシ部材１１２Ａの下面との間にグリッド電極板１０４を挟み入れられている。
【００７１】
接続部材１１６の上部にはボールスクリュー１１４を挿入するための挿入孔１２０が設けられ、ボールスクリュー１１４が図示しない駆動装置によって回転されることにより、接続部材１１６は清掃部材１１２をグリッド電極板１０４の長手方向（矢印Ｄ方向）に沿って移動させる。即ち、ボールスクリュー１１４が正転および逆転されることで、清掃部材１１２が往復動される構成となっている。それにより、清掃部材１１２のブラシ部材１１２Ａによってグリッド電極板１０４の上面（感光体に対向する下面とは反対側の面）が清掃されるようになっている。尚、接続部材１１６の中央部には、前記したチャージワイヤ１０２Ａ、１０２Ｂと仕切板１０３とを通すための開口１２２が形成されている（図５では説明の便宜上チャージワイヤ１０２Ａ、１０２Ｂと仕切板１０３とを省略している）。
【００７２】
図７に示すように、グリッド電極板１０４がカム機構１０８によって湾曲されている状態（感光体６２を帯電する場合）、清掃部材１１２はグリッド電極板１０４の端部領域１０４Ａまで退避させられており、清掃部材１１２はグリッド電極板１０４の両端部１０４Ｇを挟み込まない状態とされている。尚、図７では、清掃部材１１２をグリッド電極板１０４の紙面上側の端部領域１０４Ａに退避させているが、紙面下側の端部領域１０４Ａに退避させてもよい。
【００７３】
このように、グリッド電極板１０４は、感光体６２を帯電する場合には感光体６２の表面を高速かつ均一に帯電するために感光体６２の外周面に沿うように湾曲状態とされる一方、グリッド電極板１０４を清掃する場合には清掃部材１１２によってグリッド電極板１０４の両端部１０４Ｇが抱え込まれるように平状態とされる。尚、図６に示すように、カム１０８Ａはグリッド電極板１０４を押圧しない場合、清掃部材１１２を通過可能な位置まで回転させられている。
【００７４】
図８に示すように、グリッド電極板１０４を湾曲状態と平状態とに切り換える切換機構として、カム機構１０８に代えて、電磁ソレノイド１０９を用いてもよい。具体的には、非通電時においてケース１０９Ａの内部の圧縮ばね１０９Ｂによって伸長される可動ロッド１０９Ｃを有する電磁ソレノイド１０９を用い、伸長された可動ロッド１０９Ｃをグリッド電極板１０４の両端部１０４Ｇに接触させることで、グリッド電極板１０４の両端部１０４Ｇを感光体６２の外周面に接近させ、グリッド電極板１０４を湾曲状態とする。通電時においては可動ロッド１０９Ｃを圧縮ばね１０９Ｂに抗してケース１０９Ａの内部に後退させ、可動ロッド１０９Ｃとグリッド電極板１０４の両端部１０４Ｇとを接触させない状態とすることで、グリッド電極板１０４を平状態に戻す。尚、可動ロッド１０９Ｃはグリッド電極板１０４を押圧しない場合、清掃部材１１２を通過可能な位置まで退避させられている。
【００７５】
また、図９に示すように、グリッド電極板１０４の両端部１０４Ｇに剛性を有する例えば金属材からなる補助部材の一例としての金属棒１２４を取り付けた上で、金属棒１２４を通じてカム機構１０８（あるいは電磁ソレノイド１０９）によってグリッド電極板１０４の両端部１０４Ｇを押圧するようにしてもよい。剛性を有する金属棒１２４を介してグリッド電極板１０４の両端部１０４Ｇを押圧することにより、グリッド電極板１０４の両端部１０４Ｇ全体を確実に感光体６２の外周面に向けて接近させられるようになる。
【００７６】
（第２実施形態に係る清掃機構の構成）
図１０〜図１５は、本発明に係る帯電装置の第２実施形態についての清掃機構２１０を説明する図である。
【００７７】
清掃機構２１０は、操作者によって手動操作されるタイプのものである。清掃機構２１０は、平状態とされたグリッド電極板１０４の両端部１０４Ｇを抱え込む構成の清掃部材２１２と、清掃部材２１２に接続される押圧部材の一例としての第１押圧ブロック２１４と、一端側に第１押圧ブロック２１４が取り付けられる長尺の操作ロッド２１６と、操作ロッド２１６の他端側に取り付けられる押圧部材の一例としての第２押圧ブロック２１８とを有している。
【００７８】
清掃部材２１２は、第１実施形態で示した清掃部材１１２と同様、上壁２１２Ｕと、上壁２１２Ｕの両端において下方に延伸する側壁２１２Ｓと、側壁２１２Ｓの下方端に接続されて内側に折り返される下壁２１２Ｌと、上壁２１２Ｕの内面に取り付けられるブラシ部材２１２Ａとを有している。清掃部材２１２は下壁２１２Ｌの上面とブラシ部材２１２Ａの下面との間にグリッド電極板１０４を挟み入れられている。
【００７９】
清掃部材２１２の上壁２１２Ｕの外面には上方に突出する突出部２２０が２個形成されており、この２個の突出部２２０は第１押圧ブロック２１４に設けられた２個の係合穴２２２（図１２参照）に係合されることにより、清掃部材２１２と第１押圧ブロック２１４とは上下方向（矢印Ｖ方向）に変位自在に接続されている。清掃部材２１２の両方の側壁２１２Ｓの外面には外方に突出する案内用突起２２４が形成されている。
【００８０】
第１押圧ブロック２１４は、矢印Ｈ方向から見た場合にＬ字状を呈しており、上面２１４Ｕには操作ロッド２１６の一端部が接続固定されている。第１押圧ブロック２１４の清掃部材２１２と対向する位置にある下面２１４Ｌ１には、前記した清掃部材２１２の２個の突出部２２０に対応する係合穴２２２が設けられている。
【００８１】
第１押圧ブロック２１４のグリッド電極板１０４と対向する位置にある下面２１４Ｌ２は、図１４、図１５に示すように、矢印Ｄ方向から見た場合に上方に凸状に湾曲する湾曲面とされている。第１押圧ブロック２１４の両方の側面にはそれぞれ外方に突出する案内用突起２２６が形成されている。第１押圧ブロック２１４の背面には外方に突出する位置決め用突起２２８が２個形成されている。尚、第１押圧ブロック２１４の中央部には、前記したチャージワイヤ１０２Ａ、１０２Ｂと仕切板１０３とを通すための開口２３０が形成されている（図１０〜図１３では説明の便宜上チャージワイヤ１０２Ａ、１０２Ｂと仕切板１０３とを省略している）。
【００８２】
操作ロッド２１６の他端側に設けられる第２押圧ブロック２１８は、直方体状を呈しており、その上面２１８Ｕで操作ロッド２１６に接続固定されている。第２押圧ブロック２１８の下面２１８Ｌも、第１押圧ブロック２１４の下面２１４Ｌ２と同様、矢印Ｄ方向から見た場合に上方に凸状に湾曲する湾曲面とされている。第２押圧ブロック２１８の両方の側面にはそれぞれ外方に突出する案内用突起２３２が形成されている。第２押圧ブロック２１８の背面には外方に突出する位置決め用突起２３４が２個形成されている。また、第２押圧ブロック２１８の中央部には、前記したチャージワイヤ１０２Ａ、１０２Ｂと仕切板１０３とを通すための開口２３６が形成されている。
【００８３】
第１押圧ブロック２１４よりも奥方には第１位置決めブロック２３８が設けられている。第１位置決めブロック２３８は、直方体状を呈しており、例えばシールド部材１０５の内壁面に接続固定されている。第１位置決めブロック２３８の第１押圧ブロック２１４に対向する面には前記した第１押圧ブロック２１４の２個の位置決め用突起２２８に対応する位置決め穴２４０が２個形成されている。
【００８４】
第２押圧ブロック２１８よりも奥方には第２位置決めブロック２４２が設けられている。第２位置決めブロック２４２は、直方体状を呈しており、例えばシールド部材１０５の内壁面に接続固定されている。第２位置決めブロック２４２の第２押圧ブロック２１８に対向する面には前記した第２押圧ブロック２１８の２個の位置決め用突起２３４に対応する位置決め穴２４４が２個形成されている。
【００８５】
シールド部材１０５の両方の側壁１０５Ｓにはそれぞれ、図１６に示すように、清掃部材２１２の案内用突起２２４を挿入させて清掃部材２１２の移動を案内する清掃部材案内溝２４６と、第１押圧ブロック２１４の案内用突起２２６を挿入させて第１押圧ブロック２１４の移動を案内する案内部材の一例としての第１押圧ブロック案内溝２４８と、第２押圧ブロック２１８の案内用突起２３２を挿入させて第２押圧ブロック２１８の移動を案内する案内部材の一例としての第２押圧ブロック案内溝２５０とが形成されている。
【００８６】
清掃部材案内溝２４６は矢印Ｄ方向に沿って直線状に形成されている。清掃部材２１２は、この清掃部材案内溝２４６に案内されて矢印Ｄ方向に沿って直線的に移動させられる。
【００８７】
第１押圧ブロック案内溝２４８は、大部分が矢印Ｄ方向に沿って伸延されているが、奥方は下方に一旦曲げられ、続いて矢印Ｄ方向に沿うよう曲げられて終焉している。第１押圧ブロック２１４は、この第１押圧ブロック案内溝２４８に案内されて矢印Ｄ方向に移動させられると共に、奥方においては下方に変位させられる。
【００８８】
第２押圧ブロック案内溝２５０は、矢印Ｄ方向に沿って伸延されているが、奥側は下方に一旦曲げられ、続いて矢印Ｄ方向に沿うよう曲げられて終焉している。手前側はシールド部材１０５の縁部まで延びて開口している。第２押圧ブロック２１８は、この第２押圧ブロック案内溝２５０に案内されて矢印Ｄ方向に沿って移動させられると共に、奥方においては下方に変位させられる。
【００８９】
図１０、図１２、図１４に示すように、操作者が操作ロッド２１６に設けられている把持部２５２を持って操作ロッド２１６を矢印Ｄ方向に操作すると、第１押圧ブロック２１４と第２押圧ブロック２１８はそれぞれ第１押圧ブロック案内溝２４８、第２押圧ブロック案内溝２５０に案内されて矢印Ｄ方向に沿って移動する。清掃部材２１２も第１押圧ブロック２１４と２個の突出部２２０によって接続されているので、操作ロッド２１６の操作に伴って矢印Ｄ方向に沿って移動するようになっている。このとき、清掃部材２１２はグリッド電極板１０４の両端部１０４Ｇを抱え込んでおり、清掃部材２１２のブラシ部材２１２Ａによってグリッド電極板１０４の上面が清掃されるようになっている。
【００９０】
図１１、図１３、図１５に示すように、操作ロッド２１６が、清掃部材２１２をグリッド電極板１０４の奥側の端部領域１０４Ａまで退避させる位置にまで移動されるように操作されると、清掃部材２１２はグリッド電極板１０４の両端部１０４Ｇを挟み込まない状態とされると共に、第１押圧ブロック２１４は第１押圧ブロック案内溝２４８の案内により、グリッド電極板１０４の両端部１０４Ｇを押圧する位置まで下方に移動される。そして、第１押圧ブロック２１４の位置決め用突起２２８が第１位置決めブロック２３８の位置決め穴２４０に挿入され、第１押圧ブロック２１４のグリッド電極板１０４に対する位置決めがなされる。第２押圧ブロック２１８も、第１押圧ブロック２１４と同様、第２押圧ブロック案内溝２５０の案内により、グリッド電極板１０４の両端部１０４Ｇを押圧する位置まで下方に移動される。そして、第２押圧ブロック２１８の位置決め用突起２３４が第２位置決めブロック２４２の位置決め穴２４４に挿入され、第２押圧ブロック２１８のグリッド電極板１０４に対する位置決めがなされる。
【００９１】
即ち、操作ロッド２１６が操作者によって奥方に差し込むように操作されると、グリッド電極板１０４の両端部１０４Ｇは第１押圧ブロック２１４と第２押圧ブロック２１８の湾曲形状を有する下面２１４Ｌ２、２１８Ｌによって押圧され、グリッド電極板１０４は平状態から湾曲状態に切り換えられる。逆に、操作ロッド２１６が操作者によって引き抜く方向に操作されると、グリッド電極板１０４は第１押圧ブロック２１４と第２押圧ブロック２１８による押圧が解除され、湾曲状態から平状態に切り換えられる。
【００９２】
このように、清掃機構２１０では、グリッド電極板１０４を平状態とした上でグリッド電極板１０４の両端部１０４Ｇを抱え込みつつ清掃部材２１２によってグリッド電極板１０４を清掃する一方、グリッド電極板１０４を清掃しないときには、清掃部材２１２をグリッド電極板１０４の端部領域１０４Ａまで退避させ、感光体６２の帯電性能の向上のためにグリッド電極板１０４を湾曲状態としている。第２実施形態に係る清掃機構２１０では、第１押圧ブロック２１４と第２押圧ブロック２１８と第１押圧ブロック案内溝２４８と第２押圧ブロック案内溝２５０とが、グリッド電極板１０４を平状態と湾曲状態とに切り換える切換機構を構成している。
【００９３】
（帯電性能の評価）
グリッド電極板１０４の両端部１０４Ｇを抱え込む構成の清掃部材１１２、２１２と、比較例として図１７に示すグリッド電極板の両端部を抱え込まない構成の清掃部材３００とでグリッド電極板１０４を清掃した場合の帯電ユニット１００による感光体６２の帯電性能について述べる。
【００９４】
帯電性能として、３０％ハーフトーンの画像をプリントし（温度２８度、湿度８５％、１回の印刷ＪＯＢ当り１００枚プリント、２０００枚プリントごとにグリッド電極板１０４を清掃）、ハーフトーン中に筋が発生するか否かによって評価を行った。
【００９５】
比較例としての図１７に示す清掃部材３００でグリッド電極板１０４を清掃した場合には、１００００枚目からハーフトーン中に筋が発生したが、本実施形態に係る清掃部材１１２、２１２でグリッド電極板１０４を清掃した場合には、１００００枚目以降においてもハーフトーン中に筋が発生することがなかった。
【００９６】
尚、第１実施形態の清掃機構１１０では清掃部材１１２を駆動装置で移動させるようにしたが、手動によって移動させるように構成してもよい。それとは逆に、第２実施形態の清掃機構２１０では清掃部材２１２を手動で移動させるようにしたが、駆動装置によって移動させるように構成してもよい。
【符号の説明】
【００９７】
１０      画像形成装置
６２      感光体（被帯電体の一例）
６６      露光装置
６７      一次転写ロール（転写装置の一例）
６８      中間転写ベルト
７０      現像装置
７１      二次転写ロール
１００    帯電ユニット（帯電装置の一例）
１０２Ａ  チャージワイヤ
１０２Ｂ  チャージワイヤ
１０３    仕切板
１０４    グリッド電極板
１０４Ａ  端部領域
１０４Ｂ  中央領域
１０４Ｃ  中央部
１０４Ｄ  スリット
１０４Ｅ  長リブ
１０４Ｆ  短リブ
１０４Ｇ  両端部
１０５    シールド部材
１０８    カム機構（切換機構の一例）
１０９    電磁ソレノイド（切換機構の一例）
１１０    清掃機構
１１２    清掃部材
１１２Ａ  ブラシ部材
１２４    金属棒（補助部材の一例）
２１０    清掃機構
２１２    清掃部材
２１２Ａ  ブラシ部材
２１４    第１押圧ブロック（押圧部材の一例）
２１６    操作ロッド
２１８    第２押圧ブロック（押圧部材の一例）
２２０    突出部
２２２    係合穴
２２４    案内用突起
２２６    案内用突起
２３２    案内用突起
２４６    清掃部材案内溝
２４８    第１押圧ブロック案内溝（案内部材の一例）
２５０    第２押圧ブロック案内溝（案内部材の一例）
【図１】
2012185299.tif 000003
【図２】
2012185299.tif 000004
【図３】
2012185299.tif 000005
【図４】
2012185299.tif 000006
【図５】
2012185299.tif 000007
【図６】
2012185299.tif 000008
【図７】
2012185299.tif 000009
【図８】
2012185299.tif 000010
【図９】
2012185299.tif 000011
【図１０】
2012185299.tif 000012
【図１１】
2012185299.tif 000013
【図１２】
2012185299.tif 000014
【図１３】
2012185299.tif 000015
【図１４】
2012185299.tif 000016
【図１５】
2012185299.tif 000017
【図１６】
2012185299.tif 000018
【図１７】
2012185299.tif 000019